(57)【要約】【課題】  フィルム頭出し用位置検出センサのキャリアフィルム搬送方向における位置調節が容易に行えるオーバコート装置を提供する【解決手段】  このオーバコート装置１においては、位置検出センサ１６，１７を、偏心カム部の回転に連動させてキャリアフィルムＡ１の搬送方向に直線的に移動させる位置調節手段２０，２１を備えているので、偏心カム部を回転させるだけで、所定の位置にフィルム頭出し用位置検出センサ１６，１７を移動させることができ、従前のような煩雑な位置調整作業が不要となり、調整作業に要する時間が短縮され、フィルム頭出し用位置検出センサ１６，１７のキャリアフィルムＡ１，Ａ２の搬送方向における位置調節が容易に行える。【選択図】  図１
2006198897.tif 000002
【特許請求の範囲】
【請求項１】
搬送されるキャリアフィルム上に配置されたオーバコートフィルムの頭出し位置の検出を行うフィルム頭出し用の位置検出センサを有し、前記キャリアフィルムを搬送させながら、前記オーバコートフィルムをヒートローラにより記録媒体の表面に熱圧着するオーバコート装置において、
前記位置検出センサを、偏心カム部の回転に連動させて前記キャリアフィルムの搬送方向に直線的に移動させる位置調節手段を備えたことを特徴とするオーバコート装置。
【請求項２】
前記位置調節手段は、
前記位置検出センサが固定されると共に、前記搬送方向に対して直交する方向に延在する長穴を有するセンサブラケットと、
前記センサブラケットの直線的な移動を案内するガイド手段と、
前記長穴内に配置されると共に、回転時に前記長穴の壁面を押圧する前記偏心カム部とを有することを特徴とする請求項１記載のオーバコート装置。
【発明の詳細な説明】
【技術分野】
【０００１】
本発明は、カード等の記録媒体の表面にオーバコートフィルムを貼付けるためのオーバコート装置に関するものである。
【背景技術】
【０００２】
従来、オーバコート装置として、オーバコートフィルムが貼付されたキャリアフィルムと、カード（記録媒体）とを、対向する一対のヒートローラ間に通過させるように構成されたものが知られている。そして、キャリアフィルムとカードとを搬送させながらヒートローラを駆動させ、キャリアフィルム上のオーバコートフィルムをカードの表面に熱圧着させる。このオーバコート装置にはオーバコートフィルムの頭出し位置の検出を行うフィルム頭出し用の位置検出センサが設けられ、この位置検出センサによって、キャリアフィルムに付されたマークが検出されると、キャリアフィルムが停止されてカードに対するオーバコートフィルムの位置決めが行われる。特開平８−１９７８１７号公報には、フィルム位置を検出する位置検出センサが開示されている。
【特許文献１】特開平８−１９７８１７号公報
【発明の開示】
【発明が解決しようとする課題】
【０００３】
位置検出センサはセンサブラケット上に固定され、このセンサブラケットにはキャリアフィルムの搬送方向に延びる長穴が形成されている。この長穴に螺子を挿通させて、この螺子を締め付けることで設置面にベース部を固定している。キャリアフィルムを停止させる位置がずれると、カードに対して正確な位置にオーバコートフィルムが熱圧着されないため、上記オーバコート装置では位置検出センサの位置調節は重要である。そして、フィルム頭出し用位置検出センサの位置調節を行う際には、螺子を緩めてからフィルム頭出し用位置検出センサを手で動かしていた。このような従来の位置検出センサでは、一方の手で螺子を緩め、他方の手でフィルム頭出し用位置検出センサを移動させていたので、フィルム頭出し用位置検出センサの位置調整作業が煩雑であった。所望の位置にフィルム頭出し用位置検出センサが位置決めされるまで、位置調整作業を何度も繰り返しているため、特に、この種の位置調整作業の経験が乏しい者にとっては、時間を要するという問題があった。
【０００４】
本発明は、フィルム頭出し用位置検出センサのキャリアフィルム搬送方向における位置調節が容易に行えるオーバコート装置を提供することを目的とする。
【課題を解決するための手段】
【０００５】
本発明に係るオーバコート装置は、搬送されるキャリアフィルム上に配置されたオーバコートフィルムの頭出し位置の検出を行うフィルム頭出し用の位置検出センサを有し、キャリアフィルムを搬送させながら、オーバコートフィルムをヒートローラにより記録媒体の表面に熱圧着するオーバコート装置において、位置検出センサを、偏心カム部の回転に連動させてキャリアフィルムの搬送方向に直線的に移動させる位置調節手段を備えたことを特徴としている。
【０００６】
このオーバコート装置は、位置検出センサを、偏心カム部の回転に連動させてキャリアフィルムの搬送方向に直線的に移動させる位置調節手段を備えているので、偏心カム部を回転させるだけで、所定の位置にフィルム頭出し用位置検出センサを移動させることができ、従前のような煩雑な位置調整作業が不要となり、調整作業に要する時間が短縮され、フィルム頭出し用位置検出センサのキャリアフィルムの搬送方向における位置調節が容易に行える。なお、ここでいう「搬送方向」とは、位置検出センサが設置された位置におけるキャリアフィルムの進行方向及びこれに略平行な方向を含むものとする。
【０００７】
また、位置調節手段は、位置検出センサが固定されると共に、搬送方向に対して直交する方向に延在する長穴を有するセンサブラケットと、センサブラケットの直線的な移動を案内するガイド手段と、長穴内に配置されると共に、回転時に長穴の壁面を押圧する偏心カム部とを有していると好適である。このような構成を採用すると、偏心カム部を回転させるだけで、長穴の壁面が偏心カム部に押圧されてセンサブラケットが移動し、このセンサブラケットに固定された位置検出センサの位置調節を行うことができる。また、ガイド手段によってセンサブラケットの移動が案内されるので、位置検出センサの移動方向をフィルムの搬送方向に拘束することができる。これらにより、低コスト且つ簡素な構造で位置検出センサの位置調節を行うことができる。
【発明の効果】
【０００８】
本発明によれば、フィルム頭出し用位置検出センサのキャリアフィルム搬送方向における位置調節を容易に行うことができる。
【発明を実施するための最良の形態】
【０００９】
以下、図面を参照しつつ本発明に係るオーバコート装置の好適な実施形態について詳細に説明する。
【００１０】
図１及び図２に示すように、オーバコート装置１は、キャリアフィルムＡ１，Ａ２上に所定の間隔をもって配置されたオーバコートフィルムＢ１，Ｂ２をプラスチック製のカード（記録媒体）Ｓの上面及び下面に貼付けるための装置である。このオーバコート装置１は、筐体２内において水平方向に延在するカード搬送路３を有しており、このカード搬送路３には、カードＳを挟持して搬送する上下一対の搬送ローラ４が所定の間隔をもって複数組配置されていると共に、カードＳの位置を検知するフォトインタラプタを有するカード位置検出センサ３１〜３３が設置されている。
【００１１】
カード搬送路３の上方には、カードＳの上面にオーバコートフィルムＢ１を貼付けるためのキャリアフィルムＡ１が巻き付けられる供給ローラ６と、この供給ローラ６からキャリアフィルムＡ１を巻き取る巻取りローラ７とが配置されている。また、供給ローラ６及び巻取りローラ７の下方には、カード搬送路３の上面側にキャリアフィルムＡ１を案内するための一対のフィルムガイドローラ８，９が配置されている。これらの供給ローラ６、フィルムガイドローラ８，９、巻取りローラ７は回転自在にオーバコート装置１の内壁２ａに軸支され、巻取りローラ７には駆動モータ（不図示）が接続されている。そして、供給ローラ６から繰出されたキャリアフィルムＡ１は、フィルムガイドローラ８，９に巻き掛けられて、巻取りローラ７によって巻き取られる。
【００１２】
同様に、カード搬送路３の下方には、カードＳの下面にオーバコートフィルムＢ２を貼付けるためのキャリアフィルムＡ２が巻き付けられる供給ローラ１０と、この供給ローラ１０からキャリアフィルムＡ２を巻き取る巻取りローラ１１とが配置されている。また、供給ローラ１０及び巻取りローラ１１の上方には、カード搬送路３の下面側にキャリアフィルムＡ２を案内するための一対のフィルムガイドローラ１２，１３が配置されている。これらの供給ローラ１０、フィルムガイドローラ１２，１３、巻取りローラ１１は回転自在にオーバコート装置１の内壁２ａに軸支され、巻取りローラ１１には駆動モータ（不図示）が接続されている。そして、供給ローラ１０から繰出されたキャリアフィルムＡ２は、フィルムガイドローラ１２，１３に巻き掛けられて、巻取りローラ１１によって巻き取られる。
【００１３】
また、カード搬送路３の上方においてフィルムガイドローラ８，９の間には、カード搬送路３に対して進退自在に上下動するヒートローラ１４が配置されており、同様に、カード搬送路３の下方においてフィルムガイドローラ１２，１３の間には、カード搬送路３に対して進退自在に上下動するヒートローラ１５が配置されている。
【００１４】
また、カード搬送路３の上方においてヒートローラ１４とフィルムガイドローラ９との間には、オーバコートフィルムＢ１の頭出し位置の検出を行うためのフィルム頭出し用位置検出センサ１６が配置されており、同様に、カード搬送路３の下方においてヒートローラ１５とフィルムガイドローラ１３との間には、オーバコートフィルムＢ２の頭出し位置の検出を行うためのフィルム頭出し用位置検出センサ１７が配置されている。位置検出センサ１６，１７は、センサブラケット２２，２３を介して筐体２の内壁２ａに取付けられている。
【００１５】
このフィルム頭出し用位置検出センサ１６，１７は、フォトインタラプタを有し、キャリアフィルムＡ１，Ａ２の縁部に付された不透明なマークＭ１，Ｍ２を検出するものである。このマークＭ１，Ｍ２が位置検出センサ１６，１７によって検出されると、キャリアフィルムＡ１，Ａ２が停止し、カードＳに対してオーバコートフィルムＢ１，Ｂ２が位置決めされる。その後、所定のタイミングでヒートローラ１４が下降し、ヒートローラ１５が上昇する。
【００１６】
そして、カードＳ及びキャリアフィルムＡ１，Ａ２は、互いの位置関係を保ちながら再び搬送され、ヒートローラ１４とヒートローラ１５とにより上下から挟み込まれて、カードＳの上面にはキャリアフィルムＡ１が押し当てられ、カードＳの下面にはキャリアフィルムＡ２が押し当てられる。その結果、カードＳの上面には、キャリアフィルムＡ１上のオーバコートフィルムＢ１が熱圧着され、カードＳの下面には、キャリアフィルムＡ２上のオーバコートフィルムＢ２が熱圧着される。そして、カードＳへのフィルムコート完了後、各ヒートローラ１４，１５はカード搬送路３から退出する。
【００１７】
このようなオーバコート装置１では、キャリアフィルムＡ１，Ａ２を停止させる位置がずれると、カードＳに対するオーバコートフィルムＢ１，Ｂ２の位置決めが正確に行われず、結果的に、カードＳに対して正確な位置にオーバコートフィルムＢ１，Ｂ２を熱圧着できないため、フィルム用の位置検出センサ１６，１７の位置調節は重要である。そこで、前述したオーバコート装置１には、位置検出センサ１６，１７をキャリアフィルムＡ１，Ａ２の搬送方向（図示左右方向）に直線的に移動させる位置調節手段２０，２１が設けられている。
【００１８】
次に、位置調節手段２０，２１について詳説する。この位置調節手段２０，２１は、図３〜図６に示すように、フォトインタラプタ型の位置検出センサ１６，１７が固定されるセンサブラケット２２，２３と、このセンサブラケット２２，２３を搬送方向に移動させる回転部材２４，２５と、センサブラケット２２，２３の移動を直線的に案内するガイド手段２６，２７とを備えている。なお、位置調節手段２０と位置調節手段２１とは、構成及び形状が略同じであることから位置調節手段２０についてのみ詳細に説明を行う。
【００１９】
位置調節手段２０のセンサブラケット２２は、金属製の板材から折曲げ成形され、筐体２の内壁２ａに設置されるベース部２２ａと、このベース部２２ａと平行な面を成して位置検出センサ１６が固定される固定部２２ｂと、これらのベース部２２ａと固定部２２ｂとを連結する連結部２２ｃとを有している。そして、ベース部２２ａはフィルムガイドローラ９（図１参照）の上方に配置され、連結部２２ｃは、ベース部２２ａのヒートローラ１４側の端部から屈曲されてカード搬送路３に向かって延在し、固定部２２ｂは、連結部２２ｃの先端部から屈曲されてフィルムガイドローラ９とヒートローラ１４との間に配置されて下方に向かって延び出ている。そして、キャリアフィルムＡ１に対応する位置に位置検出センサ１６が固定されている。
【００２０】
ベース部２２ａには搬送方向に対して略直交する方向（図示上下方向）に延在する第１の長穴（ガイド穴）２２ｄが形成されている。さらに、この第１の長穴２２ｄの上方には搬送方向に延在する第２の長穴（ガイド穴）２２ｅが形成されている。
【００２１】
このベース部２２ａが設置される内壁２ａには、第２の長穴２２ｅに挿通される一対のガイドピン２８が並設されている。そして、ベース部２２ａに形成された第２の長穴２２ｅと内壁２ａに並設された一対のガイドピン２８とで、センサブラケット２２の直線的な移動を案内するガイド手段２６を構成している。
【００２２】
図３及び図７に示すように、回転部材２４には、円柱状の本体部２４ａの裏面に円板状の偏心カム部２４ｂが設けられている。回転部材２４の偏心位置には螺子３０が挿通されるための板厚方向に延びる貫通孔２４ｃが形成されている。偏心カム部２４ｂは、ベース部２２ａの第１の長穴２２ｄ内に配置されることが予定されているので、偏心カム部２４ｂの外径は第１の長穴２２ｄの幅より小径になっている。そして、回転部材２４は、その偏心カム部２４ｂが第１の長穴２２ｄ内に配置された状態で螺子３０によって内壁２ａに取付けられている。また、本体部２４ａの表面にはその中央を通り径方向に延在するスリット２４ｄが設けられている。
【００２３】
螺子３０を締め付けた状態で回転部材２４は、本体部２４ａと内壁２ａとの間にベース部２２を挟み込んで、センサブラケット２２を内壁２ａに固定し、螺子３０を緩めた状態で回転部材２４は、両方向に回転できる。なお、位置調節手段２１については、前述した位置調整手段２０と同様であり、センサブラケット２３ａ、固定部２３ｂ、連結部２３ｃ、第１の長穴２３ｄ、第２の長穴２３ｅ、回転部材２５、本体部２５ａ、偏心カム部２５ｂ、貫通孔２５ｃ、スリット２５ｄ、ガイド手段２７、ガイドピン２９、螺子３１についても同様である。
【００２４】
ここで、図８に示すように、位置検出センサ１６の位置を調節する場合には先ず螺子３０を緩め、回転部材２４を回転可能な状態にする。次に螺子３０を緩める際に利用したドライバを回転部材２４のスリット２４ｄに係止させて回転部材２４を回転させる。そして、偏心カム部２４ｂの回転に応じ、センサブラケット２２の第１の長穴２２ｄの壁面が押圧されてセンサブラケット２２及び位置検出センサ１６が搬送方向に移動する。このとき、ガイド手段２６によって、センサブラケット２２が直線的に移動する。所望の位置に位置検出センサ１６を移動させたら、螺子３０を締め込んで回転部材２４及びセンサブラケット２２を内壁２ａに固定する。なお、図７では位置検出センサ１６を図示右方向へ移動させた場合についてのみ示しているが、図示左方向への移動も可能である。
【００２５】
このようなオーバコート装置１においては、位置検出センサ１６，１７を、偏心カム部２４ｂ，２５ｂの回転に連動させてキャリアフィルムＡ１，Ａ２の搬送方向に直線的に移動させる位置調節手段２０，２１を備えているので、偏心カム部２４ｂ，２５ｂを回転させるだけで、第１の長穴２２ｄ，２３ｄの壁面が偏心カム部２４ｂ，２５ｂで押圧されてセンサブラケット２２，２３が移動し、このセンサブラケット２２，２３に固定された位置検出センサ１６，１７の位置調節を行うことができる。また、ガイド手段２６，２７によってセンサブラケット２２，２３の移動が案内されるので、位置検出センサ１６，１７の移動方向をキャリアフィルムＡ１，Ａ２の搬送方向に拘束することができる。その結果、低コスト且つ簡素な構造で位置検出センサの位置調節を行うことができ、カードＳに対して正確な位置に、オーバコートフィルムＢ１，Ｂ２を熱圧着させることができる。
【００２６】
また、回転部材２４，２５の本体部２４ａ，２５ａの正面にスリット２４ｄ，２５ｄが形成され、このスリット２４ｄ，２５ｄにドライバ等を引っ掛けて回転部材２４，２５を回転させることができるため、手の入らないような非常に狭いスペースに位置調節手段２０，２１が設置されていても位置検出センサ１６，１７の位置調節を容易に行うことができる。
【００２７】
本発明は、前述した実施形態に限定されないことは言うまでもない。例えば、上記実施形態は、オーバコート装置１がプラスチック製のカードにオーバコートフィルムを貼付ける場合であったが、本発明では、紙製のカード等、種々の記録媒体をオーバコートの対象とすることができる。
【図面の簡単な説明】
【００２８】
【図１】本発明に係るオーバコート装置の一実施形態を示す正面図である。
【図２】図１のオーバコート装置の内部構造を示す概略斜視図である。
【図３】図１中の位置調節手段を示す分解斜視図である。
【図４】図１中の位置調節手段を示す正面図である。
【図５】図１中の位置調節手段を示す側面図である。
【図６】図１中の位置調節手段を示す平面図である。
【図７】図３〜図６中の回転部材を背面側から見た斜視図である。
【図８】位置検出センサの位置調節状態を示す正面図である。
【符号の説明】
【００２９】
１…オーバコート装置、１４，１５…ヒートローラ、１６，１７…位置検出センサ、２０，２１…位置調節手段、２２，２３…センサブラケット、２２ｄ，２３ｄ…長穴、２４ｂ，２５ｂ…偏心カム部、２６，２７…ガイド手段、Ａ１，Ａ２…キャリアフィルム、Ｂ１，Ｂ２…オーバコートフィルム、Ｓ…カード（記録媒体）。
【図１】
2006198897.tif 000003
【図２】
2006198897.tif 000004
【図３】
2006198897.tif 000005
【図４】
2006198897.tif 000006
【図５】
2006198897.tif 000007
【図６】
2006198897.tif 000008
【図７】
2006198897.tif 000009
【図８】
2006198897.tif 000010